【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
貯蔵安定な、速乾性水性コーティング組成物であって、該組成物が
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の本質的に全てが非イオン状態である点まで該組成物のｐＨを上昇させるのに充分な量の揮発性塩基、
を含む組成物。
【請求項２】
貯蔵安定な、速乾性水性コーティング組成物であって、該組成物が
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の２０％から１００％を非プロトン化するのに充分な量の揮発性塩基、
を含む組成物。
【請求項３】
基体の表面上のコーティングであって、該コーティングが
（ａ）アニオン的に安定化されたバインダーポリマー；および
（ｂ）ビニルアミンポリマーの総重量を基準にして２０重量％から１００重量％のアミン官能性単位を有するビニルアミンポリマー、
を含むコーティング。
【請求項４】
バインダーポリマーが−１０℃から７０℃のガラス転移温度を有する請求項１または２に記載の組成物、または請求項３に記載のコーティング。
【請求項５】
ビニルアミンポリマーが、ポリ（ビニルアミン）ホモポリマー、ビニルアミンコポリマー、Ｎ‐置換ポリ（ビニルアミン）ホモポリマー、Ｎ，Ｎ‐２置換ポリ（ビニルアミン）ホモポリマー、Ｎ‐置換ビニルアミンコポリマー、Ｎ，Ｎ‐２置換ビニルアミンコポリマーおよびこれらの組み合わせからなる群から選択されるビニルアミンポリマーである、請求項１、２または４のいずれか一項に記載の組成物、または請求項３または４に記載のコーティング。
【請求項６】
ビニルアミンポリマーがポリ（ビニルアミン）ホモポリマーである請求項１、２、４または５のいずれか一項に記載の組成物、または請求項３から５のいずれか一項に記載のコーティング。
【請求項７】
基体の表面上にコーティングを生じさせる方法であって、該方法が
（ｉ）該表面に、
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の本質的に全てが非イオン状態である点まで組成物のｐＨを上昇させるのに充分な量の揮発性塩基、
を含む請求項１から６のいずれか一項に記載の速乾性水性コーティング組成物を適用し；
（ｉｉ）該組成物から該揮発性塩基を蒸発させ；さらに
（ｉｉｉ）該組成物を乾燥して該コーティングを形成させる、
工程を含む方法。
【請求項８】
基体の表面上にコーティングを生じさせる方法であって、該方法が
（ｉ）該表面に、アニオン的に安定化されたバインダーポリマーを含む水性組成物を適用し；
（ｉｉ）該表面に、ビニルアミンポリマーの総重量を基準にして２０重量％から１００重量％のアミン官能性単位を有するビニルアミンポリマーを含む水性組成物を適用し；さらに
（ｉｉｉ）該コーティングを乾燥する、
工程を含む方法。
【請求項９】
ビニルアミンポリマーを含む水性組成物が、該ビニルアミンポリマーのアミン基の２０％から１００％を非プロトン化するのに充分な量の揮発性塩基をさらに含み；さらに
該方法が該コーティングから該揮発性塩基を蒸発させる工程をさらに含む、請求項８記載の方法。
【請求項１０】
組成物がトラフィックペイントであり、またはコーティングが道路マーキングであって基体が道路である、請求項１、２、４、５または６のいずれか一項に記載の組成物、請求項７から９のいずれか一項に記載の方法、または請求項３から６のいずれか一項に記載のコーティング。
【手続補正２】
【補正対象書類名】明細書
【補正対象項目名】００５２
【補正方法】変更
【補正の内容】
【００５２】
基体表面へ本発明の水性コーティング組成物を適用する過程で、「吸収剤」は水性コーティング組成物の適用の工程と同時、前又はその後の別の工程で表面に適用される別の成分として添加され得る。本明細書において、用語「吸収剤」は、中空球状ポリマー、イオン交換樹脂ビーズ（例えば、酸形で、塩基形で、塩形で、部分的に中和された形態で又は混合塩形態で）、及びタルクをはじめとする吸収性無機化合物（例えば、無機超吸収剤ゲル、スミカ（Ｓｕｍｉｃａ）ゲルを意味する。本発明に有用な他の「吸収剤」は、モレキュラーシーブ、非多孔性炭素質物質、多孔性炭素質物質及び超吸収剤ポリマー（ここではＳＡＰと略称される）である。これらの吸収剤は、本発明の水性コーティング組成物の乾燥速度を更に増加することができる。
本発明の水性コーティング組成物としては、例えば、家屋内装塗料、家屋外装塗料、自動車用塗料、工具用塗料及びトラフィックペイントが挙げられる。本発明の水性コーティング組成物の好ましい用途は、道路マーキングを形成する道路表面に適用され得るトラフィックペイントである。
本発明は以下の態様を包含する。
１）  貯蔵安定な、速乾性水性コーティング組成物であって、該組成物が
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の本質的に全てが非イオン状態である点まで該組成物のｐＨを上昇させるのに充分な量の揮発性塩基、
を含む組成物。
２）  バインダーポリマーが−１０℃から７０℃のガラス転移温度を有する前記１）に記載の組成物。
３）  ビニルアミンポリマーが、ポリ（ビニルアミン）ホモポリマー、ビニルアミンコポリマー、Ｎ‐置換ポリ（ビニルアミン）ホモポリマー、Ｎ，Ｎ‐２置換ポリ（ビニルアミン）ホモポリマー、Ｎ‐置換ビニルアミンコポリマー、Ｎ，Ｎ‐２置換ビニルアミンコポリマーおよびこれらの組み合わせからなる群から選択されるビニルアミンポリマーである、前記１）に記載の組成物。
４）  ビニルアミンポリマーがポリ（ビニルアミン）ホモポリマーである前記１）に記載の組成物。
５）  組成物がトラフィックペイントである前記１）に記載の組成物。
６）  基体の表面上のコーティングであって、該コーティングが
（ａ）アニオン的に安定化されたバインダーポリマー；および
（ｂ）ビニルアミンポリマーの総重量を基準にして２０重量％から１００重量％のアミン官能性単位を有するビニルアミンポリマー、
を含むコーティング。
７）  バインダーポリマーが−１０℃から７０℃のガラス転移温度を有する前記６）に記載のコーティング。
８）  ビニルアミンポリマーが、ポリ（ビニルアミン）ホモポリマー、ビニルアミンコポリマー、Ｎ‐置換ポリ（ビニルアミン）ホモポリマー、Ｎ，Ｎ‐２置換ポリ（ビニルアミン）ホモポリマー、Ｎ‐置換ビニルアミンコポリマー、Ｎ，Ｎ‐２置換ビニルアミンコポリマーおよびこれらの組み合わせからなる群から選択されるビニルアミンポリマーである、前記６）に記載のコーティング。
９）  ビニルアミンポリマーがポリ（ビニルアミン）ホモポリマーである前記６）に記載のコーティング。
１０）  コーティングが道路マーキングであって、基体が道路である前記６）に記載のコーティング。
１１）  基体の表面上にコーティングを生じさせる方法であって、該方法が
（ｉ）該表面に、
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の本質的に全てが非イオン状態である点まで組成物のｐＨを上昇させるのに充分な量の揮発性塩基、
を含む速乾性水性コーティング組成物を適用し；
（ｉｉ）該組成物から該揮発性塩基を蒸発させ；さらに
（ｉｉｉ）該組成物を乾燥して該コーティングを形成させる、
工程を含む方法。
１２）  バインダーポリマーが−１０℃から７０℃のガラス転移温度を有する前記１１）に記載の方法。
１３）  ビニルアミンポリマーが、ポリ（ビニルアミン）ホモポリマー、ビニルアミンコポリマー、Ｎ‐置換ポリ（ビニルアミン）ホモポリマー、Ｎ，Ｎ‐２置換ポリ（ビニルアミン）ホモポリマー、Ｎ‐置換ビニルアミンコポリマー、Ｎ，Ｎ‐２置換ビニルアミンコポリマーおよびこれらの組み合わせからなる群から選択されるビニルアミンポリマーである、前記１１）に記載の方法。
１４）  ビニルアミンポリマーがポリ（ビニルアミン）ホモポリマーである前記１１）に記載の方法。
１５）  コーティングが道路マーキングであり、基体が道路である前記１１）に記載の方法。
１６）  基体の表面上にコーティングを生じさせる方法であって、該方法が
（ｉ）該表面に、アニオン的に安定化されたバインダーポリマーを含む水性組成物を適用し；
（ｉｉ）該表面に、ビニルアミンポリマーの総重量を基準にして２０重量％から１００重量％のアミン官能性単位を有するビニルアミンポリマーを含む水性組成物を適用し；さらに
（ｉｉｉ）該コーティングを乾燥する、
工程を含む方法。
１７）  ビニルアミンポリマーを含む水性組成物が、該ビニルアミンポリマーのアミン基の２０％から１００％を非プロトン化するのに充分な量の揮発性塩基をさらに含み；さらに
該方法が該コーティングから該揮発性塩基を蒸発させる工程をさらに含む、前記１６）に記載の方法。
１８）  貯蔵安定な、速乾性水性コーティング組成物であって、該組成物が
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の２０％から１００％を非プロトン化するのに充分な量の揮発性塩基、
を含む組成物。
１９）  基体の表面上にコーティングを生じさせる方法であって、該方法が
（ｉ）該表面に、
（ａ）アニオン的に安定化されたバインダーポリマー；
（ｂ）ビニルアミンポリマーの総重量を基準にして２０重量％から１００重量％のアミン官能性単位を有するビニルアミンポリマー；および
（ｃ）該ビニルアミンポリマーのアミン基の２０％から１００％を非プロトン化するのに充分な量の揮発性塩基
を含む速乾性水性コーティング組成物を適用し；
（ｉｉ）該組成物から揮発性塩基を蒸発させ；さらに
（ｉｉｉ）該組成物を乾燥して該コーティングを形成させる
工程を含む方法。